(57)【特許請求の範囲】
【請求項１】
建物本体に取付けられた固定下地材に対して外壁パネルが隣接状態で配置固定されて外壁が構成されており、
該外壁パネルの外面に、水平ガイド部材が設置されており、
該水平ガイド部材によって水平出しが行われると共に、前記外壁パネルの外面に当接された状態で、前記固定下地材に対して化粧胴差固定部材が固定されており、
該化粧胴差固定部材に、化粧胴差が固定されており、
前記水平ガイド部材は、前記外壁パネルの上縁部または下縁部に沿って上面が水平となるように設置されており、
前記外壁パネルが、上下に突き合わせて設置されており、
上下の外壁パネル間の突き合わせ部に沿って水平となるように前記水平ガイド部材としてのスペーサーが設置されており、
該スペーサーの部分に、前記化粧胴差固定部材が取付けられており、
該化粧胴差固定部材に対して、化粧胴差が水平状態で取付けられており、
前記外壁パネルが、表面にタイルの形状を模した凸部と、タイルの目地部を模した凹溝部とを有するタイル調外壁材とされており、
前記スペーサーが、前記凹溝部の水平部分に嵌着可能な横長のものとされていることを特徴とする化粧胴差の取付構造。
【請求項２】
請求項１に記載の化粧胴差の取付構造において、
前記外壁は、色調の異なる外壁パネルを隣接配置して成る色境界部分を有するものとされていることを特徴とする化粧胴差の取付構造。
【請求項３】
請求項２に記載の化粧胴差の取付構造において、
前記化粧胴差が、隣接する外壁パネル間の色境界部分に沿って取付けられていることを特徴とする化粧胴差の取付構造。
【請求項４】
請求項１ないし請求項３のいずれか１項に記載の化粧胴差の取付構造において、
前記スペーサーが、前記凹溝部に嵌着された状態で前記凸部の表面と面一の高さを有するものとされ、
前記化粧胴差固定部材が、上下の外壁パネルの凸部間に跨る大きさを有するものとされていることを特徴とする化粧胴差の取付構造。
【請求項５】
請求項１ないし請求項４のいずれか１項に記載の化粧胴差の取付構造において、
前記外壁パネルが、隣接する外壁パネルとの突き合わせ部に互いに嵌合可能な実部を有していることを特徴とする化粧胴差の取付構造。
【請求項６】
建物本体に取付けられた固定下地材に対して外壁パネルを隣接状態で配置固定して外壁を構成し、
該外壁パネルの外面に、前記外壁パネルの上縁部または下縁部に沿って上面が水平となるように水平ガイド部材を設置し、
該水平ガイド部材によって水平出しを行うと共に、前記外壁パネルの外面に当接させた状態で、前記固定下地材に対して化粧胴差固定部材を固定し、
該化粧胴差固定部材に、化粧胴差を固定すると共に、
前記水平ガイド部材として、上下に突き合わせて設置された外壁パネルの間に、外壁パネル間の突き合わせ部に沿ってスペーサーを水平となるように設置し、
前記化粧胴差固定部材は、前記スペーサーの部分に取付け、
前記化粧胴差は、前記化粧胴差固定部材に対して水平状態で取付けるようにし、
前記外壁パネルを、表面にタイルの形状を模した凸部と、タイルの目地部を模した凹溝部とを有するタイル調外壁材とし、
前記スペーサーを、前記凹溝部の水平部分に嵌着可能な横長のものとすることを特徴とする化粧胴差の取付方法。
【発明の詳細な説明】
【技術分野】
【０００１】
この発明は、建物の外壁に対する化粧胴差の取付構造および取付方法に関するものである。
【背景技術】
【０００２】
戸建て住宅などの建物では、その外壁に対して化粧胴差を設置することが行われている（例えば、特許文献１〜特許文献８参照）。
【０００３】
このような、化粧胴差は、例えば、２トーンなどに色分けされた建物の色境界部分や、上階と下階の境界部分などに設けられている。
【０００４】
例えば、特許文献１〜特許文献３のものでは、上下の外壁パネルを、隙間を開けて設置すると共に、この隙間の部分に化粧胴差を嵌め込むようにして取付けていた。
【０００５】
また、特許文献４〜特許文献８のものでは、外壁パネルなどに直接固定された複数の化粧胴差固定部材に対して、化粧胴差を取付けるようにしていた。
【先行技術文献】
【特許文献】
【０００６】
【特許文献１】実開平２−８３９３８号公報
【特許文献２】特開平１０−８２１５６号公報
【特許文献３】特開２００５−２９０８２５号公報
【特許文献４】実開昭５８−１１８１３７号公報
【特許文献５】特開平８−１４４４９４号公報
【特許文献６】特開平１０−３０６５７２号公報
【特許文献７】特開２００３−３６４２号公報
【特許文献８】特開２００４−３６１３６号公報
【発明の概要】
【発明が解決しようとする課題】
【０００７】
しかしながら、上記特許文献１〜特許文献３のものは、化粧胴差を取付ける場合には、上下の外壁パネルを隙間を開けて設置する必要があったので、化粧胴差を取付ける仕様と取付けない仕様とで、外壁パネルの割り付け方が異なってしまい、化粧胴差を取付けない仕様としたものに対して化粧胴差を後付けすることができなかった。また、外壁パネルの割り付け方を変えるために、役物部材を用いる必要があったので、その分、手間がかかっていた。
【０００８】
また、上下の外壁パネルを、隙間を開けて設置するために、上下の外壁パネルのそれぞれに対し水平墨出し作業などによって水平を取る必要があり、施工に手間やコストがかかっていた。
【０００９】
また、特許文献４〜特許文献８のものでは、外壁パネルなどに直接固定された複数の化粧胴差固定部材を利用して化粧胴差を取付けるようにしていたので、各化粧胴差固定部材に対し、それぞれ水平墨出し作業を行うことによって、各化粧胴差固定部材の水平を確保する必要がある。しかし、化粧胴差固定部材は、化粧胴差を確実に固定できるようにするために比較的大きな金具となっているので、化粧胴差固定部材に対する水平の確保に手間と時間を要していた。
【００１０】
そこで、本発明は、上記した問題点を解決することを、主な目的としている。
【課題を解決するための手段】
【００１１】
上記課題を解決するために、本発明は、
建物本体に取付けられた固定下地材に対して外壁パネルが隣接状態で配置固定されて外壁が構成されており、
該外壁パネルの外面に、水平ガイド部材が設置されており、
該水平ガイド部材によって水平出しが行われると共に、前記外壁パネルの外面に当接された状態で、前記固定下地材に対して化粧胴差固定部材が固定されており、
該化粧胴差固定部材に、化粧胴差が固定されており、
前記水平ガイド部材は、前記外壁パネルの上縁部または下縁部に沿って上面が水平となるように設置されており、
前記外壁パネルが、上下に突き合わせて設置されており、
上下の外壁パネル間の突き合わせ部に沿って水平となるように前記水平ガイド部材としてのスペーサーが設置されており、
該スペーサーの部分に、前記化粧胴差固定部材が取付けられており、
該化粧胴差固定部材に対して、化粧胴差が水平状態で取付けられており、
前記外壁パネルが、表面にタイルの形状を模した凸部と、タイルの目地部を模した凹溝部とを有するタイル調外壁材とされており、
前記スペーサーが、前記凹溝部の水平部分に嵌着可能な横長のものとされている化粧胴差の取付構造を特徴とする。
【発明の効果】
【００１２】
本発明によれば、上記構成によって、化粧胴差の後付けが可能で、しかも、化粧胴差の施工に手間がかからないようにすることができる。
【図面の簡単な説明】
【００１３】
【図１】本実施の形態にかかる化粧胴差の取付構造を有する建物の外壁の部分拡大斜視図である。
【図２】図１の縦断面図である。
【図３】化粧胴差の取付方法を示す外壁の部分拡大斜視図である。
【図４】図３に続く化粧胴差の取付方法を示す外壁の部分拡大斜視図である。
【図５】図４に続く化粧胴差の取付方法を示す外壁の部分拡大斜視図である。
【発明を実施するための形態】
【００１４】
以下、本実施の形態を、図面を用いて詳細に説明する。
図１〜図５は、この実施の形態を説明するためのものである。
【実施例１】
【００１５】
＜構成＞以下、構成について説明する。
【００１６】
図１の部分拡大斜視図に示すように、戸建て住宅などの建物１の（建物本体１Ａに取付けられた）外壁２に対して、化粧胴差３を設置する。この化粧胴差３は、見切モールまたは化粧モールなどと呼ばれるモール材である。
【００１７】
ここで、建物１は、ユニット建物などとすることができる。このユニット建物は、工場で製造された箱状の建物ユニットを現場へ複数搬送して、現場で組み立てることにより、短期間のうちに建物１を構築できるようにしたものである。ユニット建物には、鉄骨系のものと木質系のものとが存在している。この場合、鉄骨系のユニット建物とされている。
【００１８】
そして、鉄骨系のユニット建物では、図２の縦断面図に示すように、下階のユニット建物を構成する天井梁１１と、上階のユニット建物を構成する床梁１２とが上下に設置されており、その外側に、外壁下地材１３，１４が設置されている。この外壁下地材１３，１４の外側には、上下方向へ延びる固定下地材１５が、横方向に対し所要の間隔を有して複数本取付けられており、この固定下地材１５に対して上下の外壁パネル１６，１７がビス１８などで取付けられている。この場合、固定下地材１５は、例えば、樹脂製や木製の胴縁などとされる。また、固定下地材１５と外壁パネル１６，１７との間には、防水シート１９が介在されている。
【００１９】
なお、この実施例の構造が適用できる建物１は、ユニット建物に限るものではない。
【００２０】
そして、以上のような基本的または全体的な構成に対し、この実施例は、以下のような構成を備えている。
【００２１】
（１）上記したように、建物本体１Ａに取付けられた固定下地材１５に対して外壁パネル１６，１７が隣接状態で配置固定されている。
この外壁パネル１６，１７の外面に、水平ガイド部材（後述のスペーサー４２参照）が設置されている。
この水平ガイド部材によって（化粧胴差固定部材２１の）水平出しが行われると共に、上記外壁パネル１６，１７の外面に当接された状態で、上記固定下地材１５に対して化粧胴差固定部材２１が固定されている。
そして、この化粧胴差固定部材２１に、化粧胴差３が固定されている。
【００２２】
ここで、水平ガイド部材は、化粧胴差固定部材２１の水平出しを行うための小型の補助部材である。水平ガイド部材については、後述する。
また、化粧胴差固定部材２１は、金属製のモール取付ブラケットなどとされる。この化粧胴差固定部材２１は、化粧胴差３の取付け位置に沿い所要の間隔を有して複数設置される。この化粧胴差固定部材２１は、化粧胴差３の断面形状とほぼ同じ表面形状と、平坦な裏面形状とを有するようにループ状に曲げ加工された金属帯板などで構成されている。よって、化粧胴差固定部材２１は、比較的大型の金具となる。化粧胴差固定部材２１には、図１に示すように、ドリルビス２５を通すためのビス挿通孔２６と、取付孔２７とが、その表面側の部分（化粧胴差取付面）と裏面側の部分（外壁パネル当接面）とに対してそれぞれ設けられている。
【００２３】
また、上記した化粧胴差３は、横方向へ延びる長尺部材とされており、例えば、アルミなどの軽合金製のものとされる。
【００２４】
（２）図３に示すように、上記外壁２は、色調の異なる外壁パネル１６，１７を隣接配置して成る色境界部分３１を有するものとされている。
【００２５】
ここで、色調は、色合いや色の濃さなどのことである。色調の異なる外壁パネル１６，１７は、例えば、後述するように、建物本体１Ａを、上下に色分けするように設置される。この場合、上側の外壁パネル１６が濃色、下側の外壁パネル１７が淡色とされている。但し、建物本体１Ａの上下の色調の違いは、これに限るものではない。
【００２６】
（３）図１に示すように、上記化粧胴差３が、隣接する外壁パネル１６，１７間の色境界部分３１に沿って取付けられるようにしている。
【００２７】
ここで、化粧胴差３は、例えば、２トーンなどに（上下に）色分けされた建物１の色境界部分３１などに設けるようにする。なお、建物１が２トーンなどに（上下に）色分けされていない場合であっても、建物１の上階と下階との境界部分などに対して化粧胴差３を設けることができる。
【００２８】
（４）より具体的には、図２に示すように、外壁パネル１６，１７が、上下に突き合わせて設置されている。
そして、この上下の外壁パネル１６，１７間の突き合わせ部４１に沿って水平となるように上記水平ガイド部材としてのスペーサー４２が設置されている。
このスペーサー４２の部分に、上記化粧胴差固定部材２１が取付けられている。
更に、この化粧胴差固定部材２１に対して、化粧胴差３が水平状態で取付けられている。
【００２９】
ここで、スペーサー４２は、ゴム製の横長の小片とされる。スペーサー４２と化粧胴差固定部材２１とは、上記したドリルビス２５によって、固定下地材１５に横方向に取付けられる。スペーサー４２には、取付孔２７と対応する位置に取付孔を設けておくようにしても良い。また、化粧胴差３は、ビス４５によって上方から化粧胴差固定部材２１に取付けられる。化粧胴差３および化粧胴差固定部材２１の上部には、ビス４５を取付けるための取付孔を設けておくようにしても良い。
【００３０】
（５）上記外壁パネル１６，１７が、表面にタイルの形状を模した凸部５１と、タイルの目地部を模した凹溝部５２とを有するタイル調外壁材５３とされている。
そして、上記スペーサー４２が、上記凹溝部５２の水平部分５４に嵌着可能な横長のものとされている。
【００３１】
ここで、タイル調外壁材５３は、タイルサイディングパネルなどと呼ばれるものである。このタイル調外壁材５３は、横貼り調のものでも縦貼り調のものでもどちらでも良い。タイル調外壁材５３の目地は、例えば、水平部分５４（横目地）と垂直部分（縦目地）とを有して縦横などに延びるように形成される。スペーサー４２は、目地の幅と略等しい幅を有するものとされる。なお、ゴム製のスペーサー４２は、例えば、その弾性変形力によって水平部分５４（横目地）に対して自己保持されるような幅寸法（目地の幅よりも若干大き目の幅）にするのが好ましい。
【００３２】
（６）図２に示すように、上記スペーサー４２が、上記凹溝部５２に嵌着された状態で上記凸部５１の表面と面一の高さｈを有するものとされる。
上記化粧胴差固定部材２１が、上下の外壁パネル１６，１７の凸部５１間に跨る大きさｗを有するものとされる。
【００３３】
ここで、化粧胴差固定部材２１は、下側のタイル調外壁材５３の（一番上の列の）凸部５１のほぼ全部をほぼ隠蔽するものとされる。また、化粧胴差固定部材２１は、上側のタイル調外壁材５３の（一番下の列の）凸部５１の全部または少なくとも一部（下部）を隠蔽するものとされる。そして、上記スペーサー４２も、この化粧胴差固定部材２１によって隠蔽される。
【００３４】
（７）上記外壁パネル１６，１７が、隣接する外壁パネル１６，１７との突き合わせ部４１に互いに嵌合可能な実部６１，６２（さね部）を有している。
【００３５】
ここで、実部６１，６２は、外壁パネル１６，１７の縁部に形成された小さな凹凸部分のことである。この場合、下側の外壁パネル１６の上縁部には、実部６１として、雄実（オスざね）と呼ばれる凹部が形成されており、また、上側の外壁パネル１７の下縁部には、実部６２として、雌実（メスざね）と呼ばれる凹部が形成されている。そして、上下の外壁パネル１６，１７を、突き合わせて設置することにより、雌実と雄実とが嵌合されて、隙間のない突き合わせ部４１ができるようになっている。但し、雌実と雄実とは上下反対にしても良い。
【００３６】
なお、隙間とは、化粧胴差３を間に介在させることができる程度の大きさの外壁パネル１６，１７間の離間部分のことである。よって、隙間のないとは、化粧胴差３の大きさｗが基準となる。但し、実際の外壁パネル１６，１７間の突き合わせ部４１の隙間は、ミリ単位またはそれ以下のレベルとなっている。
【００３７】
以下、化粧胴差３の取付方法について説明する。
【００３８】
（８）図３に示すように（図２も併せて参照）、建物本体１Ａに取付けられた固定下地材１５に対して外壁パネル１６，１７を隣接状態で配置固定する（外壁パネル取付工程）。
次に、図４に示すように、この外壁パネル１６，１７の外面に、水平ガイド部材を設置する（水平ガイド部材設置工程）。
そして、水平ガイド部材によって（化粧胴差固定部材２１の）水平出しを行うと共に、外壁パネル１６，１７の外面に当接させた状態で、図５に示すように、上記固定下地材１５に対して化粧胴差固定部材２１を固定する（化粧胴差固定部材取付工程）。
更に、図１、図２に示すように、この化粧胴差固定部材２１に、化粧胴差３を固定する（化粧胴差取付工程）。
【００３９】
なお、外壁パネル取付工程と化粧胴差固定部材取付工程とは、連続して行うようにしても良いし、所要の時間をおいて行うようにしても良い。
【００４０】
（９）より具体的には、図４に示すように、上下に突き合わせて設置された外壁パネル１６，１７の間に、外壁パネル１６，１７間の突き合わせ部４１に沿って上記水平ガイド部材としての（ゴム製の）スペーサー４２を水平となるように設置する（スペーサー設置工程）。
その後、図５に示すように、このスペーサー４２の部分に、化粧胴差固定部材２１を取付ける（前述した化粧胴差固定部材取付工程）。
最後に、図１、図２に示すように、この化粧胴差固定部材２１に対して、化粧胴差３を水平状態で取付ける（前述した化粧胴差取付工程）。
【００４１】
以下、この実施例の建物１およびその施工方法について説明する。
【００４２】
（１０）上記した取付構造によって取付けられた化粧胴差３を外壁パネル１６，１７の表面に有する建物１を構築する。
【００４３】
（１１）また、上記した化粧胴差３の取付方法によって施工された化粧胴差３を外壁パネル１６，１７の表面に有する建物１を施工する。
【００４４】
＜作用効果＞この実施例によれば、以下のような作用効果を得ることができる。
【００４５】
（作用効果１）建物本体１Ａに設けられた固定下地材１５に対して外壁パネル１６，１７が隣接状態で配置固定されることにより、化粧胴差３のない状態でも成立する外壁２が構築される。
【００４６】
そして、化粧胴差３を取付ける場合には、まず、外壁パネル１６，１７の外面に水平ガイド部材（後述のスペーサー４２参照）を設置し、この水平ガイド部材によって化粧胴差固定部材２１の水平出しを行うと共に、外壁パネル１６，１７の外面に化粧胴差固定部材２１を当接させた状態で、上記した固定下地材１５に対して化粧胴差固定部材２１を固定することにより、（外壁パネル１６，１７を取付けるための）固定下地材１５を利用して外壁パネル１６，１７の外面に化粧胴差固定部材２１を簡単に設置することができる。
【００４７】
更に、化粧胴差固定部材２１に、化粧胴差３を固定することにより、外壁パネル１６，１７の外面に化粧胴差３を容易に設置することができる。
【００４８】
そして、このような構造としたことにより、化粧胴差３を取付ける仕様と取付けない仕様とで、外壁２の構造を同じにすることができる。よって、化粧胴差３を容易に後付けすることが可能となる。また、既存の外壁２に対して化粧胴差３を後付けすることなども可能になる。
【００４９】
また、外壁パネル１６，１７の外面に対して設置された水平ガイド部材によって化粧胴差固定部材２１の水平出しを行うことで、化粧胴差固定部材２１の水平出しを簡単に行うことができるようになる。そして、水平ガイド部材は、化粧胴差固定部材２１よりも小さなものとなるので、水平ガイド部材の水平出しについては、容易に行うことができる。
【００５０】
（作用効果２）外壁２は、色調の異なる外壁パネル１６，１７を隣接配置して成る色境界部分３１を有するものとされている。これにより、建物１を複数の色を有する洒落たデザインのものとすることができる。
【００５１】
（作用効果３）化粧胴差３が、隣接する外壁パネル１６，１７間の色境界部分３１に沿って取付けられるようにした。これにより、外壁パネル１６，１７間の色境界部分３１を化粧胴差３で隠すことが可能となる。また、化粧胴差３の立体感によって建物１の外観品質を向上することができる。よって、複数の色を有する建物１の外観品質を更に向上することができる。
【００５２】
（作用効果４）外壁パネル１６，１７が突き合わせて設置されることにより、化粧胴差３のない状態でも成立する外壁２の構造が得られる。即ち、化粧胴差３を取付けるために、外壁パネル１６，１７間に、意図的に（化粧胴差３を設置するための）隙間を形成する必要をなくすことができる。
【００５３】
そして、この外壁２に対し、上下の外壁パネル１６，１７間の突き合わせ部４１に沿って上記水平ガイド部材としてのスペーサー４２を設置することにより、特に水平を取ることなく（水平墨出し作業などを行うことなく）、外壁パネル１６，１７の突き合わせ部４１の水平を利用して、スペーサー４２を水平に施工することができる。
【００５４】
次に、スペーサー４２の部分に、化粧胴差固定部材２１を取付けることにより、特に水平を取ることなく、スペーサー４２の水平を利用して、化粧胴差固定部材２１を水平となるように施工することができる。
【００５５】
最後に、この化粧胴差固定部材２１に化粧胴差３を取付けることにより、化粧胴差３が、確実に水平状態で取付けられる。これにより、化粧胴差３を容易に後付けすることができる。
【００５６】
そして、この構造によれば、水平確保が容易なので、化粧胴差３を短時間のうちに簡単確実に取付けることが可能となる。また、上記により、水平確保の手間がなくなるので、工期やコストを大幅に抑えることが可能となる。
【００５７】
しかも、化粧胴差３を取付ける仕様と取付けない仕様とで、外壁パネル１６，１７の割り付け変更を行う（例えば、役物部材を用いて外壁パネル１６，１７の割り付けを変えるなどする）必要をなくすことができる。よって、化粧胴差３の後付けが容易になると共に、既存の外壁２に対して化粧胴差３の後付けを行うことなども可能となる。更に、上記構造としたことにより、外壁パネル１６，１７間の突き合わせ部４１であれば、どこの位置にでも化粧胴差３を自由に取付けることが可能となる。
【００５８】
（作用効果５）タイルの目地部を模した凹溝部５２に対して横長のスペーサー４２を嵌着するようにした。これにより、凹溝部５２の水平部分５４にスペーサー４２を嵌着するだけの作業で、確実にスペーサー４２を水平に施工することができる。
【００５９】
（作用効果６）スペーサー４２が、凹溝部５２に嵌着された状態で凸部５１の表面と面一の高さｈを有するものとされ、化粧胴差固定部材２１が、上下の外壁パネル１６，１７の凸部５１間に跨る大きさｗを有するものとされた。これにより、スペーサー４２を介して取付けられる化粧胴差固定部材２１が、上下の外壁パネル１６，１７（タイル調外壁材５３）の凸部５１に対してそれぞれ面接触するので、化粧胴差固定部材２１を、ぐらつきなく安定してタイル調外壁材５３上に設置することができる。よって、化粧胴差３を安定してタイル調外壁材５３に取付けることが可能となる。
【００６０】
（作用効果７）外壁パネル１６，１７が、隣接する外壁パネル１６，１７との突き合わせ部４１に互いに嵌合可能な実部６１，６２を有するようにした。これにより、隣接する外壁パネル１６，１７間の突き合わせ部４１の隙間を小さくする、または、隙間をなくすことができる。よって、外壁パネル１６，１７間の突き合わせ部４１の見栄えを良くすると共に、突き合わせ部４１の防水性能を高めることができる。
【００６１】
（作用効果８）上記した構成（８）の化粧胴差３の取付方法によれば、上記した構成（１）と同じ作用効果を得ることができる。
【００６２】
（作用効果９）上記した構成（９）の化粧胴差３の取付方法によれば、上記した構成（４）と同じ作用効果を得ることができる。
【００６３】
（作用効果１０）上記した構成（１０）の建物１によれば、上記した構成（１）〜（７）と同じ作用効果を得ることができる。
【００６４】
（作用効果１１）上記した構成（１１）の建物１の施工方法によれば、上記した構成（８）または（９）と同じ作用効果を得ることができる。
【００６５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６６】
１Ａ    建物本体
３      化粧胴差
１５    固定下地材
１６    外壁パネル
１７    外壁パネル
２１    化粧胴差固定部材
３１    色境界部分
４１    突き合わせ部
４２    スペーサー（水平ガイド部材）
５１    凸部
５２    凹溝部
５３    タイル調外壁材
５４    水平部分
６１    実部
６２    実部
ｈ      高さ
ｗ      大きさ
【図１】
0006693727.tif 000002
【図２】
0006693727.tif 000003
【図３】
0006693727.tif 000004
【図４】
0006693727.tif 000005
【図５】
0006693727.tif 000006